(57)【特許請求の範囲】
【請求項１】
被写体からの光束を受光し、光電変換して撮像データを得る撮像部と、
前記撮像データから顔の有無を検出する顔検出部と、
該顔検出部で顔が検出された場合に唇領域を検出する唇検出部と、
前記撮像部で撮像された画像の撮影環境光に関する情報を判定する撮影環境光情報判定部と、
前記唇検出部による唇領域の検出結果と前記撮影環境光情報判定部により判定された撮影環境光情報とに基づき唇部に艶処理を施す艶処理部と、
を備えることを特徴とする画像処理装置。
【請求項２】
前記艶処理部は、
前記判定された撮影環境光情報に基づいて艶処理領域および艶処理内容を設定する艶処理条件設定部と、
該艶処理条件設定部で設定された条件に従い唇部に艶処理を実行する艶処理実行部と、
を含むことを特徴とする請求項１に記載の画像処理装置。
【請求項３】
前記艶処理条件設定部は、前記判定された撮影環境光情報に基づき、艶処理の色、光沢度のいずれかを変えることを特徴とする請求項２に記載の画像処理装置。
【請求項４】
前記艶処理条件設定部は、前記判定された撮影環境光情報に基づき、艶処理領域の形状、大きさ、領域数のいずれかを変えることを特徴とする請求項２または３に記載の画像処理装置。
【請求項５】
前記艶処理条件設定部は、艶処理領域内で輝度値が最大の位置を艶処理の基準位置とすることを特徴とする請求項２〜４のいずれか一つに記載の画像処理装置。
【請求項６】
前記艶処理部による艶処理を選択的に実行させる特殊処理撮影モードが少なくとも選択可能なモード設定部を備えることを特徴とする請求項１〜５のいずれか一つに記載の画像処理装置。
【請求項７】
被写体からの光束を撮像部で受光し、光電変換して撮像データを得る撮像工程と、
前記撮像データから顔の有無を検出する顔検出工程と、
該顔検出工程で顔が検出された場合に唇領域を検出する唇検出工程と、
前記撮像工程で撮像された画像の撮影環境光に関する情報を判定する撮影環境光情報判定工程と、
前記唇検出工程による唇領域の検出結果と前記撮影環境光情報判定工程により判定された撮影環境光情報とに基づき唇部に艶処理を施す艶処理工程と、
を備えることを特徴とする画像処理方法。
【発明の詳細な説明】
【技術分野】
【０００１】
本発明は、電子カメラで撮影された人物画像を美しく表現するための画像処理装置および画像処理方法に関するものである。
【背景技術】
【０００２】
近年、コンパクトデジタルカメラ、デジタル一眼レフレックスカメラ等の電子カメラの普及は、目覚しいものがある。そして、撮影された画像に関して、各種の画像処理を施す技術も種々提案されている。
【０００３】
例えば、口紅などのメーキャップによるイメージをコンピュータシステム上でシミュレーションするために、電子カメラを用いて入力された人の顔の画像上で、唇の口紅の色を、例えばオペレータにより指定された色に塗り替える技術が提案されている（例えば、特許文献１，２参照）。
【０００４】
【特許文献１】特開２０００−１１１４５号公報
【特許文献２】特開平１１−１２０３３６号公報
【発明の開示】
【発明が解決しようとする課題】
【０００５】
ところで、人物画像、特に、女性の顔を被写体としてカメラで撮影する場合においては、実物に対して不自然さや違和感なく、官能的により美しい顔として撮影したい願望がある。
【０００６】
しかしながら、特許文献１，２に示される画像処理技術は、元の唇の自然な質感を失うことなく、あるいは、唇と口紅とが一体感がある自然な形で表現できるように工夫しているものの、化粧品販売等に際してシミュレーションのために唇の口紅の色を意図的に全く別の色に塗り替えてしまうものであり、撮影画像に対する加工変形の程度が大きく、もはや写真画像とは言い難い。
【０００７】
本発明は、上記に鑑みてなされたものであって、撮像部で撮影された画像に関して、写真画像として、不自然さや違和感なく官能的に美しい唇を表現することで、人物の顔を美しく表現し得る画像処理装置および画像処理方法を提供することを目的とする。
【課題を解決するための手段】
【０００８】
上述した課題を解決し、目的を達成するために、本発明にかかる画像処理装置は、被写体からの光束を受光し、光電変換して撮像データを得る撮像部と、前記撮像データから顔の有無を検出する顔検出部と、該顔検出部で顔が検出された場合に唇領域を検出する唇検出部と、前記撮像部で撮像された画像の撮影環境光に関する情報を判定する撮影環境光情報判定部と、前記唇検出部による唇領域の検出結果と前記撮影環境光情報判定部により判定された撮影環境光情報とに基づき唇部に艶処理を施す艶処理部と、を備えることを特徴とする。
【０００９】
また、本発明にかかる画像処理装置は、上記発明において、前記艶処理部は、前記判定された撮影環境光情報に基づいて艶処理領域および艶処理内容を設定する艶処理条件設定部と、該艶処理条件設定部で設定された条件に従い唇部に艶処理を実行する艶処理実行部と、を含むことを特徴とする。
【００１０】
また、本発明にかかる画像処理装置は、上記発明において、前記艶処理条件設定部は、前記判定された撮影環境光情報に基づき、艶処理の色、光沢度のいずれかを変えることを特徴とする。
【００１１】
また、本発明にかかる画像処理装置は、上記発明において、前記艶処理条件設定部は、前記判定された撮影環境光情報に基づき、艶処理領域の形状、大きさ、領域数のいずれかを変えることを特徴とする。
【００１２】
また、本発明にかかる画像処理装置は、上記発明において、前記艶処理条件設定部は、艶処理領域内で輝度値が略最大の位置を艶処理の基準位置とすることを特徴とする。
【００１３】
また、本発明にかかる画像処理装置は、上記発明において、前記艶処理部による艶処理を選択的に実行させる特殊処理撮影モードが少なくとも選択可能なモード設定部を備えることを特徴とする。
【００１４】
また、本発明にかかる画像処理方法は、被写体からの光束を撮像部で受光し、光電変換して撮像データを得る撮像工程と、前記撮像データから顔の有無を検出する顔検出工程と、該顔検出工程で顔が検出された場合に唇領域を検出する唇検出工程と、前記撮像工程で撮像された画像の撮影環境光に関する情報を判定する撮影環境光情報判定工程と、前記唇検出工程による唇領域の検出結果と前記撮影環境光情報判定工程により判定された撮影環境光情報とに基づき唇部に艶処理を施す艶処理工程と、を備えることを特徴とする。
【発明の効果】
【００１５】
本発明にかかる画像処理装置および画像処理方法は、撮像部による撮影状況として判定された撮影環境光に関する情報に応じて自動的に顔画像中の唇部に艶処理を施すことで、写真画像として不自然さや違和感なく官能的に美しい唇画像を表現することができ、よって、人物の顔を美しく表現した写真画像を提供することができるという効果を奏する。
【発明を実施するための最良の形態】
【００１６】
以下、本発明を実施するための最良の形態である画像処理装置および画像処理方法について図面を参照して説明する。
【００１７】
本実施の形態の画像処理装置は、コンパクトデジタルカメラに搭載されたものである。図１は、コンパクトデジタルカメラに搭載された本実施の形態の画像処理装置の構成例を示す概略ブロック図である。本実施の形態の画像処理装置は、ＣＰＵ１、ＲＯＭ２およびＲＡＭ３からなるマイクロコンピュータを備える。ＣＰＵ１は、ＲＯＭ２に記憶されている各種処理プログラムを実行し、各部の動作を制御する。また、本実施の形態の画像処理装置は、ＵＳＢケーブル等に対する外部通信制御部４、各種ボタン、キー類に対するＳＷ制御部５、メカシャッタ等に対するメカ制御部６、各種デバイスに対する汎用ＩＯ部７、バッテリ監視等を行う電源制御部８が、内部バス９を介してＣＰＵ１に接続されて設けられている。
【００１８】
また、本実施の形態の画像処理装置は、撮像素子１０を撮像部として備える。撮像素子１０は、ＣＣＤ、ＣＭＯＳセンサ等の固体撮像素子からなり、被写体からの光束を図示しない撮像光学系を介して受光し、光電変換することで撮像データを得るものである。撮像素子１０の出力側には、撮像データ受信部１１を備える。また、撮像データ受信部１１が受信した撮像データを、内部バス９を介して格納するＳＤＲＡＭ１２を備える。このＳＤＲＡＭ１２が格納する撮像データ中には、輝度データＹと色差データＣとからなるＹＣデータが含まれている。また、撮像データ受信部１１の後段には、露光・測距データ算出部１３、画像処理部１４を順に備える。露光・測距データ算出部１３は、撮像素子１０が撮像した撮像データに基づき露光条件設定のための露光データや、自動焦点制御のための測距データを算出する。露光・測距データ算出部１３には、ストロボ制御部１５が接続されている。ストロボ制御部１５は、露光データや測距データに基づき、ストロボ撮影が必要か否かを判断し、ストロボ撮影が必要な場合にはその発光量を決定してストロボ発光を制御する。
【００１９】
画像処理部１４は、露光・測距データ算出部１３による露光データや測距データ、ストロボ制御部１５のストロボ情報等を参照しつつ、ＳＤＲＡＭ１２に格納された画像データに対して必要な各種画像処理を施すもので、画像処理後の画像データを再びＳＤＲＡＭ１２に格納する。
【００２０】
また、本実施の形態の画像処理装置は、唇検出部１６を含む顔検出部１７を備える。顔検出部１７は、撮像素子１０が撮像してＳＤＲＡＭ１２に格納された撮像データに対して、例えば目、鼻、口等に関してパターンマッチングを適用する周知技術によって、撮像データ中に人の顔画像が含まれているか否かを検出するためのものである。唇検出部１６は、顔検出部１７によって撮像データ中で顔が検出された場合に、周知のように、例えば顔画像の下の方に所定サイズ、形状の楕円形状部分が含まれていれば、その部分を唇領域として検出するためのものである。ここで、唇検出部１７は、撮像素子１０が撮像した画像データの左上隅を原点とし、横方向をＸ軸、縦方向をＹ軸とするＸＹ座標系における唇領域の座標情報、大きさ情報を検出し、画像処理部１４に出力する。
【００２１】
また、本実施の形態の画像処理装置は、表示制御部１８や記録制御部１９を備える。表示制御部１８は、カメラ本体の背面側に設けられたＬＣＤ等による表示デバイス２０に対して撮影しようとする画像（スルー画像）や、撮影後の再生画像の他、各種モード、撮影条件等に関する操作・選択情報を表示するように制御するためのものである。記録制御部１９は、撮像されて必要な画像処理が施された画像データを、挿脱自在なメモリカード型の記録メディア２１に対して記録するように制御するためのものである。
【００２２】
図２は、本実施の形態の画像処理装置が搭載されたカメラを示す概略背面図である。本実施の形態のカメラは、ＳＷ制御部５によって制御される各種ボタン、キー類の一例として、レリーズボタン３１、ズームボタン３２、静止画（スチル）・動画・再生等に関するモード選択ダイヤルキー３３、十字ボタン３４、ＭＥＮＵ（メニュー）ボタン３５、ＤＩＳＰ（表示）ボタン３６、ＤＥＬ（消去）ボタン３７、手振れ補正ボタン３８等を備えている。ここで、本実施の形態の画像処理装置において、ＭＥＮＵボタン３５は、後述するように、顔画像の唇部に対して艶処理を選択的に実行させる艶処理モードを特殊処理撮影モードとして各種シーンモード中から選択するためのモード設定部として設けられている。ＭＥＮＵボタン３５に艶処理モード選択機能を持たせ、必要時に艶処理モードに設定することで、被写体として女性の顔画像を撮影しようとする場合に本実施の形態を効果的に機能させることができる。
【００２３】
また、本実施の形態のＣＰＵ１は、上述の艶処理モードの処理を実現するために、ＲＯＭ２に格納された後述の艶処理プログラムによって、撮影環境光情報判定部の機能と艶処理部の機能とを実行する。ここで、撮影環境光情報判定部は、撮像素子１０で撮像された画像の撮影環境光に関する情報を、画像データが有する色温度情報に基づくＡＷＢ（オートホワイトバランス）情報によって判定することで、撮影環境光を特定するためのものである。艶処理部は、艶処理条件設定部と艶処理実行部とからなる。艶処理条件設定部は、例えばＲＯＭ２に格納されて撮影環境光毎の艶処理条件を規定した艶処理テーブル２ａを参照することで、判定された撮影環境光情報に基づいて艶処理を施す艶処理領域および艶処理内容を設定するためのものである。艶処理実行部は、艶処理条件設定部で設定された条件に従い唇部に対して艶処理を実行するためのものである。
【００２４】
図３は、ＲＯＭ２に格納された艶処理テーブル２ａの一例を示す説明図である。本実施の形態では、撮影環境光の光源として、例えば、ストロボ（短距離）、ストロボ（中長距離）、室内蛍光灯、室内白熱灯（電球）、屋外晴天（太陽光）、屋外曇天の６種類を想定している。艶処理テーブル２ａは、各撮影環境光の光源毎に、艶処理条件として、艶処理の色／光沢度および程度、並びに、艶処理領域の形状、大きさ、領域数を予め設定したものである。ここで、艶処理の色／光沢度は、基本的には、艶処理対象領域（唇部）の輝度値は残し色差を上げて白色に近づける（光沢を出す）ことにより、艶出し（テカリ）を表現するが、例えば、電球のような室内白熱灯の場合には、若干黄色い色（または、若干ピンク色）を弱く付けることにより、艶出し（テカリ）を表現するように設定されている。要は、撮影環境光が唇部に映り込んでいる様子をそのまま艶出し（テカリ）で表現するため、光源によって艶処理の色／光沢度を切り換えるものである。
【００２５】
その他の項目に関しては、例えば、図４（ａ）に示すように、ストロボ（近距離）撮影時であれば、被写体である顔４１の近くで強い光を当てるので、図４（ｂ）に示すように、唇部４５に対する艶処理Ｘの程度が強めであって、その大きさも大きく、さらには複数（多数）の艶処理領域を用いて艶出し（テカリ）を表現するように艶処理内容が設定されている。また、図５（ａ）に示すように、太陽光による屋外晴天下での撮影時であれば、図５（ｂ）に示すように、薄っすらとして自然な感じがでるように、艶処理Ｘの程度としては弱めであって、その大きさも中程度で、さらには、１個（少数）の艶処理領域を用いて艶出し（テカリ）を表現するように艶処理内容が設定されている。他の撮影環境光の光源の場合にも、それぞれの特性に応じた艶出し（テカリ）を表現するように艶処理内容が設定されている。
【００２６】
また、本実施の形態の画像処理部１４は、上述の艶処理部の機能を支援するための最大輝度値算出部１４ａと画像合成部１４ｂとを備える。最大輝度値算出部１４ａは、ＳＤＲＡＭ１２に格納された画像データに含まれるＹＣデータ中の輝度データＹを用いることで、艶処理領域内で最大輝度点の位置（座標）を検出するためのものである。艶処理条件設定部では、最大輝度値算出部１４ａによって検出された艶処理領域内で輝度値が最大の位置（最大輝度点）の座標を艶処理の基準位置として設定する。また、画像合成部１４ｂは、艶処理条件設定部で設定された艶処理内容のデータを、対象となる唇部の元画像データ上に貼り合せ合成することで、艶処理実行部の機能を支援する。
【００２７】
以下、図６に示す模式図を参照して、本実施の形態の画像処理装置による艶処理例の概略を説明する。図６（ａ）に、顔検出部１７による顔４１の検出済みの撮影画像例を示す。ここで、左上隅をＸＹ座標の原点とする。まず、唇検出部１６によって唇領域４２および唇中心４３の座標を検出する。ついで、図６（ｂ）に示すように、撮影環境光情報判定部によって、顔４１部分の撮像データ中の色温度を測定することで、顔４１が撮像された撮影環境光の光源が、ストロボ、室内蛍光灯、室内白熱灯、屋外晴天（太陽光）、屋外曇天のいずれであるかを判定する。このような光源判定は、ＡＷＢ（オートホワイトバランス）情報を用いた既存の技術によって容易に実現される。
【００２８】
ついで、図６（ｃ）に示すように、艶処理条件設定部によって、光源情報（撮影環境光の情報）に基づき艶処理テーブル２ａを参照することで、艶処理の内容を選択設定する。図６（ｃ）では、一例として、室内蛍光灯、室内白熱灯、屋外曇天、ストロボ（短距離）それぞれの場合の艶処理Ａ〜Ｄの内容（程度、大きさ、形状）が異なることを模式的に示している。また、艶処理Ａ，Ｃ，Ｄは、白色系の光沢度による艶処理の例であるが、室内白熱灯の艶処理Ｂの場合には、若干黄色い色（または、若干ピンク色）を弱く付ける色処理による艶処理例としている。また、光源がストロボであった場合には、露光・測距データ算出部１３による測距データ（ＡＦデータ）またはストロボ制御部１５によるストロボ情報によって被写体までの距離を算出することで、ストロボ（短距離）とストロボ（中長距離）とを区分けする。
【００２９】
また、図６（ｄ）に示すように、艶処理条件設定部によって、光源情報（撮影環境光の情報）、距離情報に基づき、唇領域４２中で艶処理を施す艶処理領域４４を設定する。この艶処理領域４４は、１領域であってもよいが、複数領域であってもよい。ついで、図６（ｅ）に示すように、最大輝度値算出部１４ａによって艶処理領域４４内で最大輝度点Ｐの位置座標を検出し、艶処理条件設定部は、その位置座標を艶処理の基準位置として設定する。この後、図６（ｅ）に示すように、唇領域４２のサイズ／ｎを基本サイズとして、最大輝度点Ｐの基準位置座標に対して、光源に応じて設定された艶処理Ｘを施す。この艶処理Ｘが、唇領域４２からはみ出す場合には、ｎの値を順次大きくして艶処理Ｘのサイズを縮小し、唇領域４２内に収まるまで繰り返す。
【００３０】
このようにして、最終的には、図４（ｂ）や図５（ｂ）に示すような艶処理Ｘが唇部４５に対して施される。ここで、唇部４５に対する艶処理（テカリ処理）Ｘは、例えば、実際の化粧においてより官能的に美しい唇を表現するために口紅を塗った上にさらにグロスを塗って艶出しする場合に相当するものであり、唇部４５の色変更を要せず、写真画像として不自然さや違和感なく官能的に美しい唇画像を表現することができる。よって、女性の顔を美しく表現した写真画像を提供することができる。特に、撮像素子１０による撮影状況として判定された撮影環境光の情報に応じて異なる艶処理内容の艶処理Ｘを施しているので、撮影環境光が唇に映り込むような効果的な唇の艶を演出し、一層官能的に美しい唇画像を表現することができるものとなる。
【００３１】
ついで、カメラの電源投入後にＣＰＵ１により実行される艶処理を含む動作制御例について、図７および図８に示すフローチャートを参照して説明する。図７は、電源投入後の各種ボタン、キー類の入力処理例を示すメインフローチャートであり、図８は、艶処理モード設定時に艶処理プログラムに従い実行される艶処理サブルーチンを示すフローチャートである。
【００３２】
まず、図示しない電源スイッチが投入されると、モード選択ダイヤルキー３３の検出処理を行う（ステップＳ１１）。スチル撮影モードが選択されておらず（ステップＳ１２；Ｎｏ）、動画撮影モードが選択されている場合には（ステップＳ１３；Ｙｅｓ）、動画撮影モードの処理を実行する（ステップＳ１４）。また、動画撮影モードが選択されておらず（ステップＳ１３；Ｎｏ）、再生処理モードが選択されている場合には（ステップＳ１５；Ｙｅｓ）、再生処理モードの処理を実行し（ステップＳ１６）、再生処理モードが選択されていない場合には（ステップＳ１５；Ｎｏ）、その他モードの処理を実行する（ステップＳ１７）。
【００３３】
一方、スチル撮影モードが選択されている場合には（ステップＳ１２；Ｙｅｓ）、前の状態を確認した後（ステップＳ１８）、状態設定を行い（ステップＳ１９）、撮像素子１０が順次撮像する画像に対するスルー画処理を開始する（ステップＳ２０）。そして、キー検出処理を（ステップＳ２１）、いずれかのキー類が検出されるまで繰り返す（ステップＳ２２）。ここで、モード選択ダイヤルキー３３が検出された場合であれば（ステップＳ２３；Ｎｏ）、ステップＳ１１に戻る。一方、モード選択ダイヤルキー３３以外のキーが検出された場合であれば（ステップＳ２３；Ｙｅｓ）、そのキー内容に応じた処理を実行する。まず、ＭＥＮＵキー３５でなく（ステップＳ３１；Ｎｏ）、レリーズボタン３１が押された場合であれば（ステップＳ３２；Ｙｅｓ）、レリーズ処理を実行する（ステップＳ３３）。また、レリーズボタン３１でなく（ステップＳ３２；Ｎｏ）、ズームボタン３２が操作された場合であれば（ステップＳ３４；Ｙｅｓ）、ズーム処理を実行し（ステップＳ３５）、ズームボタン３２でなければ（ステップＳ３４；Ｎｏ）、その他の処理を実行する（ステップＳ３６）。
【００３４】
一方、ＭＥＮＵキー３５の場合であれば（ステップＳ３１；Ｙｅｓ）、その内容に応じた処理を実行する。まず、撮影メニューでなく（ステップＳ４１；Ｎｏ）、画質変更メニューの場合であれば（ステップＳ４２；Ｙｅｓ）、画質変更処理を実行する（ステップＳ４３）。また、画質変更メニューでなく（ステップＳ４２；Ｎｏ）、設定メニューの場合であれば（ステップＳ４４；Ｙｅｓ）、設定変更処理を実行し（ステップＳ４５）、設定メニューでなければ（ステップＳ４４；Ｎｏ）、その他の処理を実行する（ステップＳ４６）。さらに、撮影メニューの場合において（ステップＳ４１；Ｙｅｓ）、艶処理モードでなく（ステップＳ５１；Ｎｏ）、ＷＢ（ホワイトバランス）変更メニューであれば（ステップＳ５２；Ｙｅｓ）、ＷＢ変更処理を実行する（ステップＳ５３）。また、ＷＢ変更メニューでなく（ステップＳ５２；Ｎｏ）、ＩＳＯ変更メニューであれば（ステップＳ５４；Ｙｅｓ）、ＩＳＯ変更処理を実行し（ステップＳ５５）、ＩＳＯ変更メニューでなければ（ステップＳ５４；Ｎｏ）、その他の処理実行する（ステップＳ５６）。
【００３５】
そして、撮影メニューの場合において（ステップＳ３２；Ｙｅｓ）、シーンモード選択として艶処理モードが選択されていれば（ステップＳ３７；Ｙｅｓ）、艶処理プログラムに従い、図８に示す艶処理を実行する（ステップＳ１００）。まず、レリーズ処理を含む撮像データの入力処理を開始する（ステップＳ１０１：撮像工程）。入力が完了したら（ステップＳ１０２；Ｙｅｓ）、顔検出部１７を動作させて周知の顔検出処理を実行させ（ステップＳ１０３：顔検出工程）、顔が検出されたら（ステップＳ１０４；Ｙｅｓ）、唇検出部１６を動作させて周知の唇検出処理を実行させ、顔画像中から唇領域を検出する（ステップＳ１０５：唇検出工程）。ここて、顔が検出されなかった場合（ステップＳ１０４；Ｎｏ）や、唇が検出されなかった場合（ステップＳ１０６；Ｎｏ）には、艶処理を行うべき唇部が存在しないので、エラーメッセージを表示させ（ステップＳ１０７）、撮像データの再入力（ステップＳ１０１）を待つ。
【００３６】
顔画像が検出されて唇領域が検出された場合には（ステップＳ１０６；Ｙｅｓ）、顔画像に対する色温度としてＡＷＢ用データを使用することで、撮像素子１０で撮像された画像の撮影環境光に関する情報を判定する光源判定処理を実行する（ステップＳ１０８；撮影環境光判定工程）。まず、撮影環境光に関する情報として、撮影光源がストロボであるか否かを判定する（ステップＳ１０９）。光源がストロボの場合であれば（ステップＳ１０９；Ｙｅｓ）、露光・測距データ算出部１３のＡＦ用データ（または、ストロボ制御部１５によるストロボ情報）を用いて被写体までの距離を取得し（ステップＳ１１０）、被写体までの距離が短距離であるか否かによってストロボ（短距離）であるか（ステップＳ１１１；Ｙｅｓ）、ストロボ（中長距離）であるか（ステップＳ１１１；Ｎｏ）を判定する。
【００３７】
一方、撮影光源がストロボでない場合には（ステップＳ１０９；Ｎｏ）、撮影光源が人工光（室内）であるか否かを判定する（ステップＳ１１２）。光源が人工光（室内）であれば（ステップＳ１１２；Ｙｅｓ）、光源が蛍光灯であるか否かよって、蛍光灯であるか（ステップＳ１１３；Ｙｅｓ）、電球（白熱灯）であるか（ステップＳ１１３；Ｎｏ）を判定する。さらに、撮影光源が人工光でない場合には（ステップＳ１１２；Ｎｏ）、撮影光源が晴天（屋外）であるか否かによって、晴天（屋外）であるか（ステップＳ１１４；Ｙｅｓ）、曇天（屋外）であるか（ステップＳ１１４；Ｎｏ）を判定する。
【００３８】
このような撮影環境光の光源の判定の後、艶処理を行う（ステップＳ１１５〜Ｓ１２４：艶処理工程）。まず、艶処理テーブル２ａを参照して、光源に応じた艶処理条件を設定する。例えば、ストロボ（短距離）の場合であれば、ストロボ（短距離）用の艶処理内容および艶処理領域を選択設定する（ステップＳ１１５）。以下、同様に、ストロボ（中長距離）の場合であれば、ストロボ（中長距離）用の艶処理内容および艶処理領域を選択設定する（ステップＳ１１６）。また、室内蛍光灯の場合であれば、室内蛍光灯用の艶処理内容および艶処理領域を選択設定する（ステップＳ１１７）。室内白熱灯（電球）の場合であれば、室内白熱灯用の艶処理内容および艶処理領域を選択設定する（ステップＳ１１８）。そして、屋外晴天の場合であれば、屋外晴天用の艶処理内容および艶処理領域を選択設定する（ステップＳ１１９）。さらに、屋外曇天の場合であれば、屋外曇天用の艶処理内容および艶処理領域を選択設定する（ステップＳ１１９）。
【００３９】
撮影環境光の光源に基づき艶処理条件が設定されると、この艶処理条件に従い唇部に対する艶処理が実行される。まず、最大輝度値算出部１４ａを用いて、艶処理領域内の最大輝度値を検出し、その位置を艶処理の基準位置座標として設定する（ステップＳ１２１）。ついで、画像合成部１４ｂを用いて、（唇領域サイズ／ｎ）で基準値座標に対して設定された艶処理形状の艶処理を唇部の元画像に対して施す（ステップＳ１２２）。ここで、唇部に施した艶処理が、唇領域内に収まっているか否かを判定し（ステップＳ１２３）、唇領域内に収まっていない場合には（ステップＳ１２３；Ｎｏ）、ｎの値をｍ分だけ大きくして（ステップＳ１２４）、ステップＳ１２２以降の処理を繰り返す。唇部に施した艶処理が、唇領域内に収まっていれば（ステップＳ１２３；Ｙｅｓ）、唇部に対する艶処理が終了する。唇部に艶処理が施された画像は、必要に応じて、表示デバイス２０上に表示され、あるいは、記録メディア２１に記録される。
【００４０】
本発明は、上述した実施の形態に限らず、本発明の趣旨を逸脱しない範囲であれば、種々の変形が可能である。例えば、本実施の形態では、ＭＥＮＵボタン３５にモード設定部の機能を持たせたが、図９に示すように、モード選択ダイヤルキー３３´により選択可能なモード中に「艶処理モード」を含めることで、モード選択ダイヤルキー３３´をモード設定部として用い、このモード選択ダイヤルキー３３´の選択操作によって艶処理モードが選択設定されるようにしてもよい。あるいは、図１０に示すように、手振れ補正ボタン３８に代えて艶処理専用ボタン３９をモード設定部として設け、この艶処理専用ボタン３９の押下により艶処理モードが選択設定されるようにしてもよい。
【図面の簡単な説明】
【００４１】
【図１】コンパクトデジタルカメラに搭載された本実施の形態の画像処理装置の構成例を示す概略ブロック図である。
【図２】本実施の形態の画像処理装置が搭載されたカメラを示す概略背面図である。
【図３】ＲＯＭに格納された艶処理テーブルの一例を示す説明図である。
【図４】艶処理前後の画像例を示す模式図である。
【図５】艶処理前後の別の画像例を示す模式図である。
【図６】本実施の形態の画像処理装置による艶処理例の概略を示す模式図である。
【図７】電源投入後の各種ボタン、キー類の入力処理例を示すメインフローチャートである。
【図８】艶処理モード設定時に艶処理プログラムに従い実行される艶処理サブルーチンを示すフローチャートである。
【図９】変形例のカメラを示す概略背面図である。
【図１０】他の変形例のカメラを示す概略背面図である。
【符号の説明】
【００４２】
１０  撮像素子
１６  唇検出部
１７  顔検出部
３３´  モード選択ダイヤルキー
３５  ＭＥＮＵキー
３９  艶処理専用ボタン
４１  顔
４２  唇領域
４４  艶処理領域
４５  唇部
Ｘ  艶処理
【図１】
0005052263.tif 000002
【図２】
0005052263.tif 000003
【図３】
0005052263.tif 000004
【図４】
0005052263.tif 000005
【図５】
0005052263.tif 000006
【図６】
0005052263.tif 000007
【図７】
0005052263.tif 000008
【図８】
0005052263.tif 000009
【図９】
0005052263.tif 000010
【図１０】
0005052263.tif 000011